(57)【要約】【課題】ピント調節と視度調節の操作性を向上させる。【解決手段】操作リング１１をピント調節位置にすると、ピント調節用内歯ギア４６とピント調節ギア３３とが噛合し、視度調節用内歯ギア４７と連係ギア３９との噛合が解除される。操作リング１１の回転で回転筒３２が回転し、回転筒３２に螺合した移動部材３５が各ロッド１７，１８と一体に移動し、各フォーカスレンズ９Ｒ，９Ｌが移動する。視度調節位置では、ピント調節用内歯ギア４６とピント調節用ギア３３との噛合が解除され、視度調節用内歯ギア４７と連係ギア３９とが噛合し、操作リング１１の回転で、各ギア３９，２３を介してレンズ側ロッド２１と螺合したギア側ロッド２２が回転し、左側ロッド１８の軸長が変化してフォーカスレンズ９Ｌだけが移動する。【選択図】図２
2008304655.tif 000002
【特許請求の範囲】
【請求項１】
双眼鏡光学系を構成する第１及び第２光学系をそれぞれ収容した第１及び第２鏡筒を備え、前記第１及び第２光学系にそれぞれ組み込まれた第１及び第２フォーカスレンズを光軸方向に移動して焦点調節を行う双眼鏡において、
前記第１及び第２の鏡筒を連結するブリッジ部の中央に回動自在に設けられるとともに、光軸方向への移動によりピント調節位置と視度調節位置とのいずれかにセットされる操作部材と、
前記操作部材を前記ピント調節位置で回動したときに、その回転により前記第１及び第２フォーカスレンズの双方を光軸方向に移動させるピント調節機構と、
前記操作部材を前記視度調節位置で回動したときに、その回転により第２フォーカスレンズだけを光軸方向に移動させる視度調節機構とを備えたことを特徴とする双眼鏡。
【請求項２】
前記ピント調節機構は、前記操作部材をピント調節位置に移動したときに操作部材と一体に回動する第１ギアと噛み合って光軸と平行な軸を中心に回転するピント調節ギアと、このピント調節ギアと一体に回転し軸方向への送り作用をもつ送りネジが形成された回転軸部材と、前記送りネジに螺合し前記回転部材の回転に応じて光軸と平行に移動するリング部材と、このリング部材に一端が連結され他端が前記第１及び第２フォーカスレンズをそれぞれ保持したレンズ枠に連結され、前記リング部材と一体に光軸方向に移動して第１及び第２フォーカスレンズを移動させる第１及び第２連結部材とから構成され、
前記視度調節機構は、前記リング部材に回転自在に支持され前記操作部材を視度調節位置に移動したときに操作部材と一体に回動する第２ギアの回転に連動して光軸と平行な軸の回りに回転する視度調節ギアと、前記第２連結部材を構成し前記視度調節ギアと一体に一端側を回転させることによって前記第２フォーカスレンズを保持したレンズ枠を光軸方向にネジ送りするネジ付きの連結部材とから構成されたことを特徴とする請求項１記載の双眼鏡。
【請求項３】
前記視度調節ギアと噛み合わされ視度調節ギアよりも軸方向に長く、光軸方向には移動しない連係ギアが設けられ、前記操作部材をピント調節位置から視度調節位置に向けて移動させたときに、前記操作部材と一体に回転する第２ギアが前記連係ギアに噛み合わされることを特徴とする請求項２記載の双眼鏡。
【請求項４】
前記送りネジ付きの連結部材は、前記視度調節ギアに一端が固定され他端に送りネジが形成された第１部材と、一端が前記送りネジに螺合し他端が第２フォーカスレンズを保持したレンズ枠に連結された第２部材とからなり、第１部材の回転によるネジ送り作用によって第２部材とともに第２フォーカスレンズが光軸方向に移動することを特徴とする請求項２または３記載の双眼鏡。
【請求項５】
前記操作部材及び回転軸部材は、前記第１及び第２鏡筒を互いに眼幅調節自在に連結する眼幅調節軸と同軸に設けられていることを特徴とする請求項４記載の双眼鏡。
【発明の詳細な説明】
【技術分野】
【０００１】
本発明は、双眼鏡に関し、特に観察対象物に対するピント調節、及び視度調節機能を備えた双眼鏡に関するものである。
【背景技術】
【０００２】
双眼鏡では、両目で覗くことに対応して、左右の光学系が設けられ、各学系はそれぞれ対物レンズ系と接眼レンズ系を備えている。このような双眼鏡のピント（焦点）調節の方式には、左右光学系のそれぞれにピントリングが設けられ、各ピントリングをそれぞれ回転させて各光学系についてピント調節を行うＩＦ（Individual Focusing：単独繰出し）方式と、左右の光学系に共通の１個のピントリングが設けられ、そのピントリングを回転させることにより各光学のピント調節を同時に行うＣＦ（Central Focusing：中央繰出し)方式とが知られている。いずれの場合においても、左右光学系を構成する一部のレンズをその光軸方向に沿って移動させることでピント調節を行っている。
【０００３】
また、両眼に視力の差がある場合では、それぞれの視力の左眼，右眼のそれぞれにピントが合うようになければならないが、ＩＦ方式の双眼鏡では左右の光学系について別々にピント調節を行うため、その視力差を補正・調節する機構は必要がない。しかしながら、ＣＦ方式の双眼鏡では、ピントリングの操作では同時に両光学系のピント調節が行われるため、このようなピント調節機構とは別に、いずれか一方の光学系の一部を他方の光学系に独立させて光学系の光軸方向に沿って移動させる視度調節機構が設けられる。ＣＦ方式の双眼鏡では、まずピントリングを操作して一方の光学系のピントが合致するように調節してから、ピントリングとは別に設けた視度調節リングを操作して他方の光学系のピントが合致するように調節する。
【０００４】
視度調節リングは、例えば右側の光学系の接眼部に周囲に設けられたり、回転可能に左右の鏡筒を連結したヒンジの軸上にピントリングと同軸に設けられたりしたものが知られている（例えば特許文献１，２参照）。なお、一方の接眼部に視度調節リングを設けた双眼鏡では、一般的にはその視度調節リングの操作によって接眼部を移動させて接眼レンズを進退させるが、その際接眼部自体の移動により左右の接眼部の突出量に差異が生じて覗きづらくなるという欠点があった。
【特許文献１】特開平３−１６３５１２号公報
【特許文献２】特開２０００−５６２０５号公報
【発明の開示】
【発明が解決しようとする課題】
【０００５】
上記のようにＣＦ方式の双眼鏡では、左右光学系のピントを調節するためのピントリングと視度を調節するための視度調節リングとが別々に設けられ、それぞれの操作が必要となるため、操作性が高いとはいえなかった。例えば、ピント調節から視度調節を続けて行う場合に、操作していた手をいったんピントリングから離して視度調節リングに移動させて操作する必要がある。このため視度調節リングを手探りして不要な部材に触れたり操作したりしてしまう可能性があった。他方で視度調節リングを確認するには、接眼レンズからいったん目を離さなければならず、その確認動作が煩わしく、またその際に双眼鏡の視野から目標物がずれてしまい、視野内に目標物を入れ直したりしなければならなかった。
【０００６】
また、視度調節は、通常は双眼鏡の使用中に操作する必要がないが、双眼鏡の使用中に誤って操作してしまい、再度調節を行わなければならなくなる場合が多い。そこで、視度調節リングの不用意な操作を防止するために特許文献２では、視度調節リングの回転操作にクリック爪と係合溝との係合・解除による操作感を付与しているが、操作感だけでは不用意な操作を防止するには不十分であった。
【０００７】
本発明は、上記問題を解決するためになされたもので、ピント調節から容易に視度調節の操作に移行できるようにして操作性を高くし、また簡単な機構で実現できる双眼鏡を提供することを目的とする。
【課題を解決するための手段】
【０００８】
上記目的を達成するために、請求項１記載の発明では、第１及び第２光学系にそれぞれ組み込まれた第１及び第２フォーカスレンズを光軸方向に移動して焦点調節を行うようにした双眼鏡において、第１及び第２の鏡筒を連結するブリッジ部の中央に回動自在に設けられるとともに、光軸方向への移動によりピント調節位置と視度調節位置とのいずれかにセットされる操作部材と、操作部材をピント調節位置で回動したときに、その回転により第１及び第２フォーカスレンズの双方を光軸方向に移動させるピント調節機構と、操作部材を前記視度調節位置で回動したときに、その回転により第２フォーカスレンズだけを光軸方向に移動させる視度調節機構とを備えたものである。
【０００９】
請求項２記載の発明では、ピント調節機構を、操作部材をピント調節位置に移動したときに操作部材と一体に回動する第１ギアと噛み合って光軸と平行な軸を中心に回転するピント調節ギアと、このピント調節ギアと一体に回転し軸方向への送り作用をもつ送りネジが形成された回転軸部材と、送りネジに螺合し回転部材の回転に応じて光軸と平行に移動するリング部材と、このリング部材に一端が連結され他端が第１及び第２フォーカスレンズをそれぞれ保持したレンズ枠に連結され、リング部材と一体に光軸方向に移動して第１及び第２フォーカスレンズを移動させる第１及び第２連結部材とから構成し、視度調節機構を、リング部材に回転自在に支持され前記操作部材を視度調節位置に移動したときに操作部材と一体に回動する第２ギアの回転に連動して光軸と平行な軸の回りに回転する視度調節ギアと、第２連結部材を構成し視度調節ギアと一体に一端側を回転させることによって第２フォーカスレンズを保持したレンズ枠を光軸方向にネジ送りするネジ付きの連結部材とから構成したものである。
【００１０】
請求項３記載の発明では、視度調節ギアと噛み合わされ視度調節ギアよりも軸方向に長く、光軸方向には移動しない連係ギアを設け、操作部材をピント調節位置から視度調節位置に向けて移動させたときに、操作部材と一体に回転する第２ギアが連係ギアに噛み合わされるようにしたものである。
【００１１】
請求項４記載の発明では、送りネジ付きの連結部材を、視度調節ギアに一端が固定され他端に送りネジが形成された第１部材と、一端が前記送りネジに螺合し他端が第２フォーカスレンズを保持したレンズ枠に連結された第２部材とから構成し、第１部材の回転によるネジ送り作用によって第２部材とともに第２フォーカスレンズが光軸方向に移動するようにしたものである。
【００１２】
請求項５記載の発明では、操作部材及び回転軸部材を、第１及び第２鏡筒を互いに眼幅調節自在に連結する眼幅調節軸と同軸に設けたものである。
【発明の効果】
【００１３】
本発明によれば、操作部材を回動自在とするとともに、光軸方向への移動によりピント調節位置と視度調節位置とにセットできるようにし、ピント調節と視度調節の切り替え，いずれの調節を操作部材の操作によって行うようにしたから、同一の操作部材の操作によってピント調節と視度調節の切り替えとピント調節及び視度調節と行うことができるから、操作部材から手を離すことなくピント調節に続けて視度調節を行うことができる。また、ピント調節と視度調節の切り替えが操作部材の光軸方向への移動により、行われるので通常の使用時に誤って視度調節を行うことを防止することができる。
【発明を実施するための最良の形態】
【００１４】
図１に本発明を実施した双眼鏡２の外観を示し、図２に双眼鏡２の構成の概略を示す。双眼鏡２は、左右一対の鏡筒３Ｒ，３Ｌと、各鏡筒３Ｒ，３Ｌを互いに連結するブリッジ４部とを有する。各鏡筒３Ｒ，３Ｌは、いずれも略円筒形状をしており、鏡筒３Ｒの内部には右光学系ＱＲを、鏡筒３Ｌの内部には左光学系ＱＬをそれぞれ設けてある。各光学系ＱＲ，ＱＬは、双眼鏡光学系を構成しており、それらの光軸ＰＲ，ＰＬは互いに平行としてある。
【００１５】
右光学系ＱＲは、対物レンズ系５Ｒ，接眼レンズ系６Ｒ，プリズム系７Ｒからなり、対物レンズ系５Ｒは、固定レンズ８Ｒとフォーカスレンズ９Ｒとから構成してある。接眼レンズ系６Ｒ，固定レンズ８Ｒ及びフォーカスレンズ９Ｒは、いずれも複数枚のレンズから構成してあるが、それらの構成は適宜変更でき、１枚のレンズで構成してもよい。プリズム系７Ｒは、一対のダハプリズム７Ｒａ，７Ｒｂで構成される。対物レンズ系５Ｒ，接眼レンズ系６Ｒとの間の光路は、プリズム系７Ｒによって折り曲げられるが、対物レンズ系５Ｒ，接眼レンズ系６Ｒの光軸は一直線上となるようにしてあり、双眼鏡２はいわゆるダハプリズムタイプとなっている。
【００１６】
左光学系ＱＬについても、右光学系ＱＲと同じく、固定レンズ８Ｌ及びフォーカスレンズ９Ｌとからなる対物レンズ系５Ｌ，接眼レンズ系６Ｌ，一対のダハプリズム７Ｌａ，７Ｌｂで構成されるプリズム系７Ｌから構成してある
【００１７】
フォーカスレンズ９Ｒ，９Ｌは、それぞれ対応する光学系ＱＲ，ＱＬの光軸ＰＲ，ＰＬ方向に移動自在としてあり、フォーカスレンズ９Ｒを移動することで右光学系ＱＲの焦点（ピント）が調節され、フォーカスレンズ９Ｌを移動することで左光学系ＱＬの焦点が調節される。これらフォーカスレンズ９Ｒ，９Ｌを同時に同じ移動量で移動することによってピント調節を行い、一方のフォーカスレンズだけ、この例ではフォーカスレンズ９Ｌだけを移動することによって視度調節を行う。
【００１８】
なお、視度調節の際にフォーカスレンズ９Ｌに代えてフォーカスレンズ９Ｒだけを移動するように構成してもよい。また、光学系の構成についても種々のものを採用することができる。例えば、この例ではダハプリズムを用いたダハプリズムタイプであるが、ポロプリズムタイプ等であってもよく、接眼レンズ系を構成するレンズをフォーカスレンズとして移動させることでピント調節や視度調節を行ってもよい。フォーカスレンズとしては、鏡筒内部で移動するものとして構成するのがよい。例えば、接眼レンズ系を構成するレンズをフォーカスレンズとしては移動させる場合であっても、鏡筒内部で移動するものとれば、左右の各接眼部の突出長に差異が生じさせることがない。
【００１９】
ブリッジ部４は、鏡筒３Ｒと一体に設けた右側ブリッジ４Ｒと、鏡筒３Ｌと一体に設けた左側ブリッジ４Ｌとを、光軸ＰＲ，ＰＬに平行な軸１０に回動自在に組み付けてある。これにより、鏡筒３Ｒ，鏡筒３Ｌが軸１０を中心に適当な角度の範囲で回転可能とされ、ユーザの眼幅に接眼レンズ系６Ｒ，６Ｌの光軸間距離を合致させることができるようにしてある。なお、実際には鏡筒３Ｒだけが軸１０に対して回動可能になっている。
【００２０】
ブリッジ部４の接眼側の端面には、ピント調節を行うためのピント調節機構及び視度調節を行うための視度調節機構の操作部材であり、またピント調節と視度調節とを切り替える操作部材としての操作リング１１を設けてある。操作リング１１は、軸１０を中心に回動自在としてあるとともに、図１に実線で示すピント調節位置と、このピント調節位置から接眼側に引き出した二点鎖線で示す視度調節位置との間で回動の中心軸方向すなわち光軸ＰＲ，ＰＬ方向に移動自在にしてある。
【００２１】
軸１０の操作リング１１と反対側の端部には、三脚等に双眼鏡２を取り付ける際のアダプタを取り付けるためのネジ穴１０ａが設けられ、このネジ穴１０ａにキャップ１２が着脱自在となっている。
【００２２】
要部構成を図３に、またその断面を図４及び図５に示す。なお、図４は、操作リング１１をピント調節位置に、図５は操作リング１１を視度調節位置にした状態での断面図である。軸１０は、その略中央にフランジ１３を形成してあり、このフランジ１３よりも対物側の軸部分に各ブリッジ４Ｒ，４Ｌが回動自在に組み付けられ、眼幅調節軸の機能を有する。また、軸１０のフランジ１３よりも接眼側の部分には、フランジ１３側から段階的に径を小さくした第１〜４軸部１４ａ〜１４ｄを形成してあり、操作リング１１の他，ピント調節機構，視度調節機構，切替機構等を構成する各種部品が組み付けられる。
【００２３】
フォーカスレンズ９Ｒ，９Ｌは、それぞれレンズ枠１６に保持してある。このレンズ枠１６は、略円筒状をしており、その外径とほぼ同じ内径を有する円筒状の鏡筒３Ｒ，３Ｌ内に組み込むことによって、光軸ＰＲ，ＰＬ方向に移動するようにガイドされる。また、各レンズ枠１６には、軸１０に向かって伸びる腕部１６ａを形成してある。
【００２４】
第１フォーカスレンズ、すなわちフォーカスレンズ９Ｒを移動させるための第１連結部材として右側ロッド１７を設けてある。この右側ロッド１７は、１本の棒状部材であり、固定長の軸となっている。この右側ロッド１７は、その一端がフォーカスレンズ９Ｒ側の腕部１６ａに取り付けてあり、他端には径を全周にわたって小さくした溝１７ａを形成してある。この右側ロッド１７を光軸ＰＲ方向に移動することにより、フォーカスレンズ９Ｒがそれと一体にスライド移動する。
【００２５】
第２フォーカスレンズ、すなわちフォーカスレンズ９Ｌを移動させるための第２連結部材として左側ロッド１８を設けてある。この左側ロッド１８は、それぞれ棒状のレンズ側ロッド２１とギア側ロッド２２とを連結して棒状としたものである。レンズ側ロッド２１は、第２連結部材となって第２部材となっており、その一端がフォーカスレンズ９Ｒ側の腕部１６ａに固定してあり、他端には雄ネジ２１ａを形成してある。ギア側ロッド２２は、第１部材となっており、その一端に径を全周にわたって小さくした溝２２ａを形成してあるとともに、視度調節ギアとしてのロッド回転ギア２３を一体に設けてある。レンズ側ロッド２１の雄ネジ２１ａとギア側ロッド２２の雌ネジ２２ｂとを螺合することにより、レンズ側ロッド２１とギア側ロッド２２とを１本の棒状に連結する。
【００２６】
この左側ロッド１８は、例えば鏡筒３Ｌ内に組み込まれたレンズ枠１６に連結されることによって軸１０に対してそれを中心として回転しないようにしてある。レンズ枠１６にレンズ側ロッド２１を固定してあるから、ギア側ロッド２２が回転すると各ロッド２１，２２の相互の螺合により左側ロッド１８の軸長が変わる。これにより、フォーカスレンズ９Ｌは、左側ロッド１８自体を光軸ＰＬ方向に移動させることにより左側ロッド１８と一体に移動する他、ギア側ロッド２２を回転することによっても光軸ＰＬ方向に移動する。
【００２７】
なお、この例ではレンズ枠を光軸方向にネジ送りするネジ付きの連結部材をレンズ側ロッド２１とギア側ロッド２２とから構成しているが、ネジ付きの連結部材の構成はこれに限るものではなく、例えばロッド回転ギア２３を一端に設けたロッドの他端に雄ネジを形成し、これを腕部１６ａに形成したネジ穴に螺合させ、ロッドの回転で直接にレンズ枠１６を光軸方向に移動させる構成とすることもできる。
【００２８】
カバー部材２５は、操作リング１１の内部に収納される各部材が外部に露呈しないように、操作リング１１のブリッジ部４側の開口１１ａを塞ぐ。このカバー部材２５は、操作リング１１の開口１１ａよりも少し径が小さい中空の円筒部２５ａの一端にドーナッツ状の底板２５ｂを一体に設けた形状となっている。円筒部２５ａは、操作リング１１のピント調節位置と視度調節位置とのスライド量よりも少し多く開口１１ａ内に入りこむようにしてあり、操作リング１１をピント調節位置から視度調節位置に引き出しても、その内部の各部材が外部に露呈されない。
【００２９】
カバー部材２５は、底板２５ｂの中央に設けた取付孔２６に第１軸部１４ａを嵌め込んで軸１０に固定してある。また、底板２５ｂには、右側ロッド１７と左側ロッド１８（ギア側ロッド２２）を通す孔２７ａ，２７ｂを設けてある。軸１０を中心として鏡筒３Ｒと一体に右側ロッド１７が回転移動することを許容するために、孔２７ａは、底板２５ｂの中心すなわち軸１０を中心とした円弧状に長く形成してある。孔２７ｂは、ギア側ロッド２２と同じあるいはわずかに大きな径の円形に形成してある。
【００３０】
外軸部３１は、ピント調節の際に回動されるものであり、回転軸部材としての円筒状の回転筒３２と、その回転筒３２の一端（接眼）側にそれと同軸に一体に設けたピント調節ギア３３とからなる。外軸部３１は、回転筒３２の中空部３２ａに他端側から第２軸部１４ｂを通すことで、軸１０すなわち光軸ＰＲ，ＰＬと平行な軸を中心に回動自在にして軸１０に装着される。回転筒３２の外周面には軸方向への送り作用を有する送りネジとしての雄ネジ３２ｂを形成してある。
【００３１】
中空部３２ａは、他端側で第２軸部１４ｂの外径と同じ内径とされ、その他の部分が第２軸部１４ｂの外径よりも大きい内径としてある。内周面に雌ネジを形成したリング状の締付部材３４を軸１０に通し、これを外周に雄ネジを形成した第３軸部１４ｃに螺合させる。これにより、第２軸部１４ｂの周囲に配された回転筒３２の端部を、締付部材３４と第１軸部１４ａとの間に挟み込み、外軸部３１を回動自在としながら軸１０の軸方向に移動することを防止する。なお、第１軸部１４ａ，回転筒３２，締付部材３４の間に軸受やワッシャ等を配置する等により、グリースを塗布する等して外軸部３１の回動を滑らかすることができる。
【００３２】
移動部材３５は、各ロッド１７，１８，外軸部３１とともに、フォーカスレンズ９Ｒ，９Ｌを同時に移動させてピント調節を行うピント調節機構を構成する。移動部材３５は、円筒状のリング部３７と、このリング部３７の外周面に一体に形成したフランジ３８とからなる。リング部３７の内周面には雌ネジ３７ａを形成してあり、この雌ネジ３７ａを回転筒３２の雄ネジ３２ｂに螺合させることにより、移動部材３５を回転筒３２の外周に組み付ける。
【００３３】
フランジ３８には、切欠３８ａ〜３８ｃを形成してある。切欠３８ａに右側ロッド１７の溝１７ａを嵌め込むことにより右側ロッド１７をフランジ３８に係合し、切欠３８ｂに左側ロッド１８の溝２２ａを嵌め込むことにより、左側ロッド１８をフランジ３８に係合して、リング部３７に各ロッド１７，１８を連結する。
【００３４】
切欠３８ａは、フランジ３８の周方向に長く形成してあり、係合を維持したまま右側ロッド１７の軸１０を中心とした回転移動を許容する。切欠３８ｂは、溝２２ａとほぼ同じ径の大きさで略扇形状に形成してあり、左側ロッド１８のそれ自体の軸心を中心した回動を許容する。切欠３８ｃは、後述するように固定された連係ギア３９と光軸ＰＲ，ＰＬ方向に移動するフランジ３８との干渉を避けるためのものであり、連係ギア３９が通る部分に連係ギア３９の外径よりも大きく形成してある。
【００３５】
上記のように左側ロッド１８がフランジ３８に係合し、また左側ロッド１８が軸１０を中心とする回動が禁止されているため、移動部材３５は、軸１０を中心とした回転が阻止される。これにより、移動部材３５は、回転筒３２が回転すると螺合した雄ネジ３２ｂ，雌ネジ３７ａの作用により各ロッド１７，１８とともに光軸ＰＲ，ＰＬ方向に移動する。なお、各ロッド１７，１８に設けた溝１７ａ，２２ａの幅とフランジ３８の厚さはほぼ同じであり、移動部材３５の移動によって各ロッド１７，１８が遊びなく光軸ＰＲ，ＰＬに沿って前後に移動する。
【００３６】
連係ギア３９は、左側ロッド１８，ロッド回転ギア２３とともに、左側フォーカスレンズ９Ｌを光軸ＰＬ方向に移動させて視度調節を行う視度調節機構を構成する。連係ギア３９は、カバー部材２５に回動自在に取り付けてある。この連係ギア３９は、ロッド回転ギア２３の移動方向に長くしてあり、常にロッド回転ギア２３と噛合した状態を維持する。
【００３７】
操作リング１１は、円筒状の内側部材４１と、この内側部材４１の外面を覆う例えば樹脂性のカバー４２とから構成してある。内側部材４１には、それと同軸な管状の内筒４３を一体に形成してある。この内筒４３を第４軸部１４ｄと回転筒３２との間に挿入することにより、操作リング１１は、軸１０を中心として回動自在かつ軸１０に沿って移動自在に軸１０に組み付けられる。
【００３８】
第４軸部１４ｄには、複数のクリックボール４４ａが埋め込まれ、各ボール４４ａをバネ４４ｂによって外側に向かって付勢することで、それらの一部が突出している。また、内筒４３の内周面には、全周にわたる第１係合溝４３ａと第２係合溝４３ｂとを設けてある。操作リング１１がピント調節位置のときに、第１係合溝４３ａにクリックボール４４ａが係合し、視度調節位置のときに第２係合溝４３ｂにクリックボール４４ａが係合する。
【００３９】
操作リング１１をピント調節位置と視度調節位置の一方の位置から他方の位置に移動操作する際には、クリックボール４４ａがバネ４４ｂの付勢に抗して第４軸部１４ｄ内に移動するため、その操作リング１１の移動が許容される。これにより、操作リング１１をピント調節位置と視度調節位置のうち所望とする位置に容易にセットすることができるようにするとともに、操作リング１１の抜け落ちを防止している。
【００４０】
内側部材４１の内周には、操作リング１１と一体に回転する第１ギアとしてのピント調節用内歯ギア４６と第２ギアとしての視度調節用内歯ギア４７とを設けてある。これら各内歯ギア４６，４７は、操作リング１１がピント調節位置のときにその回転をピント調節機構に伝達し、視度調節位置のときにその回転を視度調節機構に伝達する切替手段を構成する。ピント調節用内歯ギア４６は、内側部材４１の奥すなわち開口１１ａと反対側の端部側に設けてあり、また視度調節用内歯ギア４７は開口１１ａの近くに設けてある。
【００４１】
操作リング１１がピント調節位置となっているときには、図４に示すように、ピント調節用内歯ギア４６とピント調節ギア３３とが噛合し、また視度調節用内歯ギア４７と連係ギア３９との噛合を解除した状態となる。これにより、操作リング１１の回転を外軸部３１にだけ伝達して、各フォーカスレンズ９Ｒ，９Ｌを光軸ＰＲ，ＰＬ方向に同じ移動量で同時に移動させる。
【００４２】
一方、操作リング１１が視度調節位置となっているときには、図５に示すように、視度調節用内歯ギア４７と連係ギア３９とが噛合し、ピント調節用内歯ギア４６とピント調節ギア３３との噛合を解除した状態となる。これにより、操作リング１１の回転を連係ギア３９だけに伝達する。連係ギア３９の回転は、それに噛合するロッド回転ギア２３を介してギア側ロッド２２に伝達され、フォーカスレンズ９Ｌだけを移動する。
【００４３】
上記構成の作用について説明する。ピント調節を行う場合には、操作リング１１をピント調節位置にする。操作リング１１が視度調節位置にある場合には、操作リング１１を対物側に押すことにより、視度調節位置からピント調節位置に移動させる。操作リング１１がピント調節位置に移動すると、図４に示されるように、ピント調節用内歯ギア４６とピント調節ギア３３とが噛合し、視度調節用内歯ギア４７と連係ギア３９との噛合が外れた状態となる。
【００４４】
ピント調節位置としてから、操作リング１１をいずれかの方向に回転すると、ピント調節用内歯ギア４６に噛合しているピント調節ギア３３が回転し、これにともなって回転筒３２が回転する。この回転筒３２の外周には移動部材３５が組み付けられているが、左側ロッド１８との係合によって移動部材３５の軸１０を中心とする回転が阻止される。このため、回転筒３２が回転すると、その回転方向に応じた向きで移動部材３５が光軸ＰＲ，ＰＬ方向に直線的に移動する。なお、視度調節用内歯ギア４７と連係ギア３９との噛合が外れた状態となっているから、連係ギア３９と噛合しているロッド回転ギア２３が回転することはないから、左側ロッド１８の軸長が変化することはない。
【００４５】
そして、移動部材３５のフランジ３８には、各ロッド１７，１８が係合しているから、移動部材３５が移動すると、それとともに各ロッド１７，１８が光軸ＰＲ，ＰＬに沿って同時に同じ方向・移動量で移動する。結果として、各ロッド１７，１８に取り付けられたフォーカスレンズ９Ｒ，９Ｌが、操作リング１１の回転方向に応じた移動方向で、その操作量に応じた同じ移動量で移動してピント調節が行われる。
【００４６】
一方、視度調節を行う場合には、操作リング１１をピント調節位置から接眼側に引いて視度調節位置に移動する。この操作リング１１の移動により、図５に示されるように、ピント調節用内歯ギア４６とピント調節ギア３３との噛合が外れ、視度調節用内歯ギア４７と連係ギア３９とが噛合した状態となる。
【００４７】
視度調節位置としてから、操作リング１１をいずれかの方向に回転すると、視度調節用内歯ギア４７に噛合している連係ギア３９が回転し、連係ギア３９に噛合しているロッド回転ギア２３が回転する。上述のようにピント調節を行った場合には、ロッド回転ギア２３が光軸ＰＲ方向に左側ロッド１８とともに移動するが、その移動方向に連係ギア３９を長くしてあるので、ロッド回転ギア２３と連係ギア３９とは常に噛合した状態となっている。また、ピント調節用内歯ギア４６とピント調節ギア３３との噛合が外れているから、操作リング１１の回転でピント調節ギア３３が回転することはない。
【００４８】
ロッド回転ギア２３が回転すると、それを一体に設けたギア側ロッド２２がレンズ側ロッド２１に対して回転する。各ロッド２１，２２が雄ネジ２１ａと雌ネジ２２ｂとを螺合させてあるから、このギア側ロッド２２の回転によって左側ロッド１８が操作リング１１の回転方向に応じて伸縮する。そして、左側ロッド１８の一方の端部がフランジ３８に係合しており、操作リング１１が視度調節位置とされているときにはそのフランジ３８が移動しない。したがって、操作リング１１の回転操作によって左側ロッド１８が伸縮すると、その伸縮によってフォーカスレンズ９Ｌが光軸ＰＬ方向に移動する。
【００４９】
結果として、視度調節位置とした操作リング１１を回転操作により、右側のフォーカスレンズ９Ｒを移動させることなく、左側のフォーカスレンズ９Ｌだけが光軸ＰＬ方向に移動する。これにより、視度調節を行うことができる。
【００５０】
以上のように、この双眼鏡２では、１個の操作リング１１の回転軸方向の移動により、ピント調節と視度調節を切り替え、いずれの調節にも操作リング１１の回転操作によって行うから、ピント調節と視度調節のための部品点数が少なくなる。また、操作リング１１を視度調節位置に移動操作し、その操作リング１１を回転操作すればよいから、通常の使用時に誤って視度調節を行ってしまうことがない。
【００５１】
以上、本発明について上記実施形態を例に説明したが、本発明は、これに限定されるものではなく、同様な機能を実現させる他の構成を採用することができる。
【図面の簡単な説明】
【００５２】
【図１】本発明を実施した双眼鏡の外観図である。
【図２】双眼鏡の構成を概略的に示す説明図である。
【図３】ピント調節機構と視度調節機構を含む要部を示す分解斜視図である。
【図４】操作リングをピント調節位置としたときの要部の断面図である。
【図５】操作リングを視度調節位置としたときの要部の断面図である。
【符号の説明】
【００５３】
２  双眼鏡
９Ｒ，９Ｌ  フォーカスレンズ
１１  操作リング
１７  右側ロッド
１８  左側ロッド
２１  レンズ側ロッド
２２  ギア側ロッド２２
２３  ロッド回転ギア
３２  回転筒
３３  ピント調節ギア
３５  移動部材
３９  連係ギア
４６  ピント調節用内歯ギア
４７  視度調節用内歯ギア
ＰＲ，ＰＬ  光軸
ＱＲ，ＱＬ  光学系
【図１】
2008304655.tif 000003
【図２】
2008304655.tif 000004
【図３】
2008304655.tif 000005
【図４】
2008304655.tif 000006
【図５】
2008304655.tif 000007